(57)【要約】【課題】音響特性の向上を図ることができると共に、振動系部材の安定的な動きを確保しつつ、振動系部材を中心に位置保持することが可能なスピーカおよびスピーカの位置保持機構を提供すること。【解決手段】マグネット１１を有する磁気回路３と、磁気回路３に対して接離する方向に振動する振動系部材５と、を備えるスピーカ１において、磁気回路３と振動系部材５との間に、弾性部材３１を備える位置保持機構６を有し、位置保持機構６は、その一端が振動系部材５側に固定される摺動軸３０と、磁気回路３側に固定され、摺動軸３０の他端を挿入可能とする挿入孔を有する第１の軸受け３４と、を備え、弾性部材３１，３２を摺動軸３０の外周に配置させると共に、摺動軸３０の他端を第１の軸受け３４の挿入孔に挿入させることにより、振動系部材５の中心を磁気回路３の中心と略一致させて位置保持していることを特徴とする。【選択図】図１
2010154178.tif 000002
【特許請求の範囲】
【請求項１】
マグネットを有する磁気回路と、
上記磁気回路の磁界中に配置され、上記磁気回路に対して接離する方向に往復運動するボイスコイルと、上記ボイスコイルに発生する動力が伝達される振動板とを有する振動系部材と、
を備えるスピーカにおいて、
上記磁気回路と上記振動系部材との間に、弾性部材を備える位置保持機構を有し、
上記位置保持機構は、
その一端が上記振動系部材側に固定される摺動軸と、
上記磁気回路側に固定され、上記摺動軸の他端を挿入可能とする挿入孔を有する第１の軸受けと、
を備え、
上記弾性部材を上記摺動軸の外周に配置させると共に、上記摺動軸の上記他端を上記第１の軸受けの上記挿入孔に挿入させることにより、上記振動系部材の中心を上記磁気回路の中心と略一致させて位置保持していることを特徴とするスピーカ。
【請求項２】
前記位置保持がなされた状態では、前記摺動軸は前記第１の軸受けに対して軸方向に向かって相対移動可能であることを特徴とする請求項１記載のスピーカ。
【請求項３】
前記位置保持機構は、
前記摺動軸を挿入可能とする挿入孔を有すると共に、前記摺動軸の軸方向において、前記弾性部材を前記第１の軸受けとで挟み込む第２の軸受けを備えることを特徴とする請求項２記載のスピーカ。
【請求項４】
前記弾性部材は圧縮バネによって構成されると共に、前記第１の軸受けと前記第２の軸受けとの間に圧縮した状態で装着されていることを特徴とする請求項３記載のスピーカ。
【請求項５】
前記弾性部材は引張りバネによって構成されると共に、前記第１の軸受けと前記第２の軸受けとの間に引っ張った状態で装着されていることを特徴とする請求項３記載のスピーカ。
【請求項６】
前記摺動軸には、該摺動軸から周方向外方に向かって突出するフランジ部が設けられており、上記フランジ部を境として、該フランジ部と前記第１の軸受けおよび前記第２の軸受けとの間の２箇所の位置に、前記弾性部材を一対に装着していることを特徴とする請求項３から５のいずれか１項記載のスピーカ。
【請求項７】
前記一対の弾性部材は、その他端が前記フランジ部に固定されると共に、その一端が前記第１の軸受け、もしくは前記第２の軸受けにそれぞれ固定されていることを特徴とする請求項６記載のスピーカ。
【請求項８】
振動系部材を磁気回路に対して接離する方向に振動させて音を発生させるスピーカにおける振動系部材の位置保持機構であって、
その一端が上記振動系部材側に固定される摺動軸と、
上記磁気回路側に固定され、上記摺動軸の他端を挿入可能とする挿入孔を有する第１の軸受けと、
上記磁気回路と上記振動系部材との間に介在され、布を用いたダンパよりも非線形性を低減させる弾性部材と、
を備え、
上記弾性部材を上記摺動軸の外周に装着させると共に、上記摺動軸の上記他端を上記第１の軸受けの上記挿入孔に挿入させることにより、上記振動系部材の上記磁気回路に対する位置保持がなされることを特徴とするスピーカにおける振動系部材の位置保持機構。
【請求項９】
前記摺動軸の一端を前記振動系部材の略中心に保持すると共に、前記挿入孔が前記磁気回路の略中心に位置するように前記第１の軸受けを該磁気回路に配置することで、前記振動系部材の中心を前記磁気回路の中心と略一致させて位置保持することを特徴とする請求項８記載のスピーカにおける振動系部材の位置保持機構。
【請求項１０】
前記摺動軸は前記第１の軸受けに対して軸方向に向かって相対移動可能であることを特徴とする請求項９記載のスピーカにおける振動系部材の位置保持機構。
【請求項１１】
前記摺動軸を挿入可能とする挿入孔を有すると共に、前記摺動軸の軸方向において、前記弾性部材を前記第１の軸受けとで挟み込む第２の軸受けを備えることを特徴とする請求項１０記載のスピーカにおける振動系部材の位置保持機構。
【請求項１２】
前記弾性部材は圧縮バネによって構成されると共に、前記第１の軸受けと前記第２の軸受けとの間に圧縮した状態で装着されていることを特徴とする請求項１１記載のスピーカにおける振動系部材の位置保持機構。
【請求項１３】
前記弾性部材は引張りバネによって構成されると共に、前記第１の軸受けと前記第２の軸受けとの間に引っ張った状態で装着されていることを特徴とする請求項１１記載のスピーカにおける振動系部材の位置保持機構。
【請求項１４】
前記摺動軸には、該摺動軸から周方向外方に向かって突出するフランジ部が設けられており、前記フランジ部を境として、該フランジ部と前記第１の軸受けおよび前記第２の軸受けとの間の２箇所の位置に、前記弾性部材を一対に装着していることを特徴とする請求項１１から１３のいずれか１項記載のスピーカにおける振動系部材の位置保持機構。
【請求項１５】
前記一対の弾性部材は、その他端が前記フランジ部に固定されると共に、その一端が前記第１の軸受け、もしくは前記第２の軸受けにそれぞれ固定されていることを特徴とする請求項１４記載のスピーカにおける振動系部材の位置保持機構。
【発明の詳細な説明】
【技術分野】
【０００１】
本発明は、スピーカおよびスピーカにおける振動系部材の位置保持機構に関する。
【背景技術】
【０００２】
従来から、ボイスコイルおよび振動板をスピーカの中心に位置保持するために、布にフェノール樹脂等の熱硬化性樹脂や二液反応型硬化性樹脂を含浸させ、コルゲーションとなるように同心円状にプレス成型したダンパを、ボイスコイルとフレームとの間に介在させているスピーカが知られている。
【０００３】
特許文献１には、ボイスコイルとフレームとの間に綿布製ダンパを介在させることにより、ボイスコイルを磁界部の中心に保持しているスピーカが開示されている。
【０００４】
【特許文献１】特開２００４−３４３８０４号公報（図１）
【発明の開示】
【発明が解決しようとする課題】
【０００５】
しかしながら、特許文献１に開示されているスピーカでは、位置保持部材として布から構成されるダンパが採用されているため、スピーカの大入力の使用による疲労により、ダンパの剛性が低下し、最低共振周波数が変動してしまうことがある。その場合、低音域における再生限界が変動し、音響特性が悪化するといった問題が発生する。
【０００６】
また、特許文献１に開示されているスピーカでは、ダンパは同心円状に形成され、素材として綿布が用いられている。このため、形状や素材に起因して、入力に対して非線形的にダンパが変位しやすくなり、該ダンパを含む支持系は耐クリープ性に劣ることになる。したがって、主に、振動板、ボイスコイルおよびボイスコイルボビンから構成される振動系部材が動作した場合、機械的な基準位置が不明確となってしまい、ダンパに、ヒステリシス損に起因する経時的な歪みが発生することがある。さらに、スピーカを大入力で使用した場合、非線形が顕著になり、ローリング現象が発生しやすくなる。その結果、ボイスコイルが他の部材と接触してしまい、異音や破壊の要因となる虞が生じる。
【０００７】
本発明は、かかる問題に鑑みてなされたものであり、その目的とするところは、音響特性の向上を図ることができると共に、振動系部材の安定的な動きを確保しつつ、振動系部材を中心に位置保持することが可能なスピーカおよびスピーカにおける振動系部材の位置保持機構を提供しようとするものである。
【課題を解決するための手段】
【０００８】
上記課題を解決するために、本発明は、マグネットを有する磁気回路と、磁気回路の磁界中に配置され、磁気回路に対して接離する方向に往復運動するボイスコイルと、ボイスコイルに発生する動力が伝達される振動板とを有する振動系部材と、を備えるスピーカにおいて、磁気回路と振動系部材との間に、弾性部材を備える位置保持機構を有し、位置保持機構は、その一端が上記振動系部材側に固定される摺動軸と、磁気回路側に固定され、摺動軸の他端を挿入可能とする挿入孔を有する第１の軸受けと、を備え、弾性部材を摺動軸の外周に配置させると共に、摺動軸の他端を第１の軸受けの挿入孔に挿入させることにより、振動系部材の中心を磁気回路の中心と略一致させて位置保持しているものである。
【０００９】
また、他の発明は、上述の発明に加えて更に、位置保持がなされた状態で、摺動軸を第１の軸受けに対して軸方向に向かって相対移動可能としたものである。
【００１０】
さらに、他の発明は、上述の発明に加えて更に、位置保持機構は、摺動軸を挿入可能とする挿入孔を有すると共に、摺動軸の軸方向において、弾性部材を第１の軸受けとで挟み込む第２の軸受けを備えるものである。
【００１１】
また、他の発明は、上述の発明に加えて更に、弾性部材は圧縮バネによって構成されると共に、第１の軸受けと第２の軸受けとの間に圧縮した状態で装着されてものである。
【００１２】
また、他の発明は、上述の発明に加えて更に、弾性部材は引張りバネによって構成されると共に、第１の軸受けと第２の軸受けとの間に引っ張った状態で装着されているものである。
【００１３】
さらに、他の発明は、上述の発明に加えて更に、摺動軸には、該摺動軸から周方向外方に向かって突出するフランジ部が設けられており、フランジ部を境として、該フランジ部と第１の軸受けおよび第２の軸受けとの間の２箇所の位置に、弾性部材を一対に装着しているものである。
【００１４】
さらに、他の発明は、上述の発明に加えて更に、一対の弾性部材は、その他端がフランジ部に固定されると共に、その一端が第１の軸受け、もしくは第２の軸受けにそれぞれ固定されているものである。
【００１５】
さらに、他の発明は、振動系部材を磁気回路に対して接離する方向に振動させて音を発生させるスピーカにおける振動系部材の位置保持機構であって、その一端が振動系部材側に固定される摺動軸と、磁気回路側に固定され、摺動軸の他端を挿入可能とする挿入孔を有する第１の軸受けと、磁気回路と振動系部材との間に介在され、布を用いたダンパよりも非線形性を低減させる弾性部材と、を備え、弾性部材を摺動軸の外周に装着させると共に、摺動軸の他端を第１の軸受けの挿入孔に挿入させることにより、振動系部材の磁気回路に対する位置保持がなされるものである。
【００１６】
また、他の発明は、上述の発明に加えて更に、摺動軸の一端を振動系部材の略中心に保持すると共に、挿入孔が磁気回路の略中心に位置するように第１の軸受けを該磁気回路に配置することで、振動系部材の中心を磁気回路の中心と略一致させて位置保持するものである。
【００１７】
さらに、他の発明は、上述の発明に加えて更に、摺動軸を第１の軸受けに対して軸方向に向かって相対移動可能としたものである。
【００１８】
さらに、他の発明は、上述の発明に加えて更に、摺動軸を挿入可能とする挿入孔を有すると共に、摺動軸の軸方向において、弾性部材を第１の軸受けとで挟み込む第２の軸受けを備えるものである。
【００１９】
さらに、他の発明は、上述の発明に加えて更に、弾性部材は圧縮バネによって構成されると共に、第１の軸受けと第２の軸受けとの間に圧縮した状態で装着されているものである。
【００２０】
さらに、他の発明は、上述の発明に加えて更に、弾性部材は引張りバネによって構成されると共に、第１の軸受けと第２の軸受けとの間に引っ張った状態で装着されているものである。
【００２１】
さらに、他の発明は、上述の発明に加えて更に、摺動軸には、該摺動軸から周方向外方に向かって突出するフランジ部が設けられており、フランジ部を境として、該フランジ部と第１の軸受けおよび第２の軸受けとの間の２箇所の位置に、弾性部材を一対に装着したものである。
【００２２】
さらに、他の発明は、上述の発明に加えて更に、一対の弾性部材は、その他端がフランジ部に固定されると共に、その一端が第１の軸受け、もしくは第２の軸受けにそれぞれ固定されているものである。
【発明の効果】
【００２３】
本発明によると、音響特性の向上を図ることができると共に、振動系部材の安定的な動きを確保しつつ、振動系部材を中心に位置保持することが可能なスピーカおよびスピーカにおける振動系部材の位置保持機構を提供することができる。
【発明を実施するための最良の形態】
【００２４】
以下、本発明の一実施の形態に係るスピーカ１の構成について、図面を参照しながら説明する。なお、スピーカ１の位置保持機構６の構成についても、スピーカ１と併せて説明する。また、以下の説明において、図１および図２に示す左方向を「左」、右方向を「右」、上方向を「上」および下方向を「下」とそれぞれ規定する。
【００２５】
図１は、本発明の一実施の形態に係るスピーカ１の側断面図である。
【００２６】
図１に示すように、スピーカ１は、全体の支持部材となるフレーム２と、フレーム２の下方に配置される磁気回路３と、磁気回路３に対して接離する方向に振動する振動系部材５と、磁気回路３に対して振動系部材５の位置保持を行う位置保持機構６とを有する。フレーム２は、上端が開放した略円錐台形状を為しており、径小となる下方側の径方向中心には開口部が形成されている。
【００２７】
磁気回路３は、ヨーク１０と、マグネット１１と、トッププレート１２とから構成されている。ヨーク１０は、磁性材からなる磁気回路３の基盤部材であり、略有底筒状をなしている。具体的には、ヨーク１０は、略円柱状の形態を有するセンターガイド部１３と、このセンターガイド部１３の下端部において周方向外側に向かって全周に亘って延出する載置部１４とを有する。載置部１４は、マグネット１１およびトッププレート１２の高さ方向の位置出しを行うと共に磁路を形成するために設けられている。センターガイド部１３の中央には上下方向に貫通する断面円形状の空気孔１７が設けられている。この空気孔１７の上方部分は下方部分よりも大径に形成されており、両者の境界部は後述する下軸受け３４を保持するための下バネ保持部１８となっている。この下バネ保持部１８は、全周に亘って段差状に形成されている。
【００２８】
載置部１４には、ドーナツ状のマグネット１１が載置される。このマグネット１１は、センターガイド部１３の外周側に位置するように載置部１４に載置される。また、マグネット１１の上方には磁性材からなるドーナツ状のトッププレート１２が配置される。このトッププレート１２は、マグネット１１と対向する位置に、マグネット１１を載置部１４とで狭持せしめるように配置される。また、センターガイド部１３の外周部とトッププレート１２の内周部との間には所定間隔を有する磁気ギャップ１５が形成されている。また、マグネット１１の外径はトッププレート１２の外径よりもわずかに大径となっている。
【００２９】
磁気ギャップ１５には、円筒状の形態を有するボイスコイル４が配置されている。このボイスコイル４は円筒状の形態を有するボイスコイルボビン１６の外周面に接着固定されている。
【００３０】
振動系部材５は、ボイスコイル４と、ボイスコイルボビン１６と、振動板２０と、該振動板２０をフレーム２に固定するためのエッジ２１と、振動板２０の内側に配置されるセンターキャップ２２と、を有する。振動板２０は、例えば、コーン紙を素材として形成された円錐台形状を呈しており、該振動板２０が振動することによって音が発振される。この振動板２０は、その中央が開放されると共に、開放した開口縁部には下方に向かって延出する対向壁２３が設けられている。そして、この対向壁２３を、ボイスコイルボビン１６の側壁に接触させ、接着剤を滴下することにより、振動板２０の内周部がボイスコイルボビン１６と接着固定される。また、振動板２０の外周側は、エッジ２１と接着固定されている。エッジ２１はリング状の形態を有しており、その断面は弓なりに屈曲した形状を呈している。そして、このエッジ２１がフレーム２に取付固定されることで、振動板２０がフレーム２に支持される構成となる。
【００３１】
また、フレーム２と振動板２０との間を封止すべく、フレーム２とエッジ２１との間には、ガスケット２４が取り付けられている。また、センターキャップ２２は略ドーム状の形態を有しており、ボイスコイル４を覆うように振動板２０の内側に配置されている。このセンターキャップ２２の裏側の開口縁部はボイスコイルボビン１６の上縁部と係合固定されている。このため、ボイスコイル４や振動板２０の内部に塵埃が入り込むのが防止される。また、図１に示すように、スピーカ１は陽極側の入力端子２５と陰極側の入力端子２６との２つの入力端子２５，２６を備えている。
【００３２】
次に、スピーカ１の位置保持機構６（以下、単に、位置保持機構６という。）の構成について詳細に説明する。
【００３３】
図２は、図１中の位置保持機構６の側断面図である。
【００３４】
位置保持機構６は、振動系部材５の中心を磁気回路３の中心軸線Ｍに略一致させて位置保持するための機構である。この位置保持機構６は、ボイスコイルボビン１６の内側であり、かつセンターガイド部１３とセンターキャップ２２との間の空間に配設されている。
【００３５】
位置保持機構６は、摺動軸３０と、摺動軸３０の上方側に配置される弾性部材となる上バネ３１と、摺動軸３０の下方側に配置される弾性部材となる下バネ３２と、上バネ３１の上方に配設される上軸受け３３と、下バネ３２の下方に配設される下軸受け３４と、上バネ３１を受け止めるためのバネ受け部３５とを有する。
【００３６】
摺動軸３０は、略棒状の軸部材であり、上下方向略中央には周方向外方に向かって突出する略円盤状のセンターフランジ３６が設けられている。センターフランジ３６は肉厚で周方向外方に向かって小径に突出する肉厚フランジ部３７と、肉厚フランジ部３７の高さ方向における略中央から肉薄で周方向外方に向かって突出する肉薄フランジ部３８とを有する。このため、センターフランジ３６の表裏両側には、全周に亘って段差状に切り欠かれた段差部４０が形成されている。摺動軸３０の一端（上端）は、センターキャップ２２の裏側略中央部に凹状に形成される軸受凹部４１に嵌め込まれている（図２参照）。すなわち、摺動軸３０は、その一端が軸受凹部４１に支持されることよって、スピーカ１の中心に保持されている。一方、摺動軸３０の他端は、支持されることなく、後述する下軸受け３４の挿入孔３４ａに挿入されている。本実施の形態では、摺動軸３０の材料として、アルミニウム等の金属が用いられているが、摺動軸３０の材料は金属に限定されるのもではなく、樹脂等の他の材料を用いても良い。
【００３７】
上バネ３１および下バネ３２は一端側から他端側に向かうにつれて小径となるようにねじられたねじりコイルバネとされている。また、これら上バネ３１および下バネ３２は、同形状の圧縮バネとされている。上バネ３１は、その内周側に摺動軸３０が挿入される形でセンターフランジ部３６の上側に圧縮した状態で装着されている。下バネ３２は、その内周側に摺動軸３０が挿入される形でセンターフランジ部３６の下側に圧縮した状態で装着されている。具体的には、上バネ３１および下バネ３２はそれぞれの他端側がセンターフランジ３６側に向くように摺動軸３０の外周側に一対に装着されている。図２に示すように、上バネ３１の一端部は接着剤等を介在させることにより上軸受け３３の下端面に固定されている。一方、上バネ３１の他端部はその内周側に肉厚フランジ部３７を嵌め込む形でセンターフランジ３６の上側の段差部４０に係合固定されている。下バネ３２の一端部は、上バネ３１の場合と同様、接着剤等を介在させることにより下軸受け３４の上端面に固定されている。また、下バネ３２の他端部は、上バネ３１の場合と同様、その内周側に肉厚フランジ部３７を嵌め込む形でセンターフランジ３６の下側の段差部４０に係合固定されている。
【００３８】
上述したように、上バネ３１の上側には上軸受け３３が配設されており、下バネ３２の下側には、下軸受け３４が配設されている。上軸受け３３および下軸受け３４は、共に略円盤状の形態を有しており、その中央には円形状の挿入孔３３ａ，３４ａが形成されている。また、上軸受け３３および下軸受け３４のそれぞれには、通気性を良好に保つために、円形状の形態を有する複数の空気孔３３ｂ，３４ｂが設けられている。
【００３９】
図２に示すように、上軸受け３３は、挿入孔３３ａに摺動軸３０の上方部分を挿入させた状態で、上バネ３１の上側に配設されている。また、下軸受け３４は、挿入孔３４ａに摺動軸３０の下方部分を挿入させた状態で、下バネ３２の下側に配設されている。このような構成により、摺動軸３０は、上軸受け３３および下軸受け３４に対して摺動可能な状態となっている。また、摺動軸３０が挿入孔３３ａ，３４ａに挿入されることにより、摺動軸３０は磁気回路３の中心軸線Ｍに略一致するように位置保持される。さらに、上述したように、下軸受け３４はセンターガイド部１３の下バネ保持部１８に係止されるように空気孔１７の内部に配置されている。
【００４０】
さらに、センターガイド部１３の上方には中央が開口した略ドーム状の形態を有するバネ受け部３５が配設されている。このバネ受け部３５は、センターガイド部１３の上端側の外縁部に設けられている。また、バネ受け部３５の開口部近傍の裏側には、全周に亘って周方向に略逆Ｌ字状の形態で切り欠かれた上バネ保持部４４が形成されている。バネ受け部３５は、上バネ３１および下バネ３２を圧縮させた状態で上軸受け３３を所定の高さに位置保持している。この位置保持は、上軸受け３３の外縁部を上バネ保持部４４に当接させて固定することによってなされている。このため、上バネ３１および下バネ３２のそれぞれは、センターフランジ３６を中央に介して上軸受け３３と下軸受け３４のそれぞれによって狭持された状態となっている。また、バネ受け部３５には、通気性を良好に保つために、周方向に向かって複数の空気孔４５が設けられている。
【００４１】
上述のように、バネ受け部３５によって上軸受け３３が位置保持されると、上軸受け３３によって上バネ３１の上端側が受け止められる。また、上バネ３１は、その下方がセンターフランジ３６によって受け止められるため、上バネ３１は自身の復元力によってセンターフランジ３６を下方へ押し下げようとする。下方に押し下げようとする力がセンターフランジ３６に作用すると、センターフランジ３６が下方へ押し下げられ、その力が下バネ３２に作用し、下バネ３２が圧縮される。ここで、下軸受け３４が、下バネ３２に作用する力を該下バネ３２の下側で受け止めるため、下バネ３２はセンターフランジ３６と下軸受け３４によって狭持されて圧縮される。また、摺動軸３０は一端側においてのみ支持されると共に、上軸受け３３および下軸受け３４に対して摺動可能に構成されているため、スピーカ１に電源が入力されない状態では、摺動軸３０は上バネ３１および下バネ３２に作用する力が釣り合った位置で静止する。一方、スピーカ１に電源を入力して振動系部材５を振動させると、振動系部材５の動きに追従して摺動軸３０も上下に移動する。すると、上バネ３１および下バネ３２は、それらのうちの一方が圧縮され、他方が引っ張られる関係を有するサスペンションとして機能する。したがって、位置保持機構６は振動系部材５の動きに追従しつつ、振動系部材５をスピーカ１の中心に位置保持する。
【００４２】
以上のように構成されたスピーカ１では、位置保持部材として、サスペンションとして機能する上バネ３１および下バネ３２を備えた位置保持機構６が採用されている。また、上バネ３１および下バネ３２は線形的に変位することから、位置保持機構６によって位置保持される振動系部材５も線形的に変位する。そのため、上バネ３１および下バネ３２に経時的な歪みが発生することがない。その結果、振動系部材５の動作における機械的な基準位置を明確に維持することが可能となる。また、スピーカ１を大入力で使用した場合でも、疲労により上バネ３１および下バネ３２の剛性が低下するのを防止でき、振動系部材５の最低共振周波数が変動することを防止できる。その結果、低音域における再生限界が一定となり、音響特性が悪化するのを防止できる。
【００４３】
また、スピーカ１では、上バネ３１および下バネ３２は予め圧縮された状態で摺動軸３０に装着されると共に、スピーカ１に電源が入力されない状態では、力が釣り合った状態となっている。このため、疲労により上バネ３１および下バネ３２の剛性が低下するのをより効果的に防止できる。その結果、上バネ３１および下バネ３２に経時的な歪みが発生するのを効果的に防止できる。
【００４４】
また、スピーカ１では、上バネ３１および下バネ３２は上下に対称に釣り合った状態で配置されているため、スピーカ１を大入力で使用した場合、摺動軸３０が傾くことにより、ローリング現象が発生するのを防止できる。その結果、ボイスコイル４が他の部材との間でこすれ現象を起こすことを防止できる。
【００４５】
また、スピーカ１では、位置保持部材として位置保持機構６をスピーカ１の中心に配設している。このため、位置保持部材としてダンパを用いる場合と比較して、ストロークを小さくでき、そのストローク分だけスピーカ１の薄型化を図ることが可能となる。また、位置保持機構６において上バネ３１および下バネ３２をサスペンションとして機能させているため、一般的に綿布を素材とするダンパを用いた場合と比較して、物性に起因して剛性が低下するのを防止できる。その結果、位置保持部材に経時的な歪みが発生するのを防止できる。
【００４６】
（実験１）
図３は、スピーカを構成する振動系部材の特性を、入力と変位との関係でヒステリシスループとして表した図であり、（Ａ）は位置保持部材としてダンパを用いた従来のスピーカ（以下、比較例とする。）の特性を示す図であり、（Ｂ）は本発明の一実施の形態に係るスピーカ１（以下、本実施の形態とする。）の特性を示す図である。ここで、横軸は入力される力［ｍＮ］の大きさを表しており、縦軸は変位［ｍｍ］の大きさを表している。
【００４７】
図３（Ａ）に示すように、比較例では、振動系部材が静止した状態で交流電流を入力すると、振動系部材は、入力された力に比例して、原点０から矢示Ａに沿ってプラス側の領域へと変位していった。そして、特定の変位量を超えると、振動系部材は、主にダンパから構成される支持系のスチフネス（剛さ）により、それより手前の直線とは異なるような非線形的なカーブを描きながらプラス側の限界域に到達した。振動系部材がプラス側の限界域に到達すると、それ以上力が加えられても、振動系部材は変位しなかった。
【００４８】
振動系部材がプラス側の限界域に到達すると、交流電流の入力により、振動系部材にはプラス側とは逆方向となるマイナス側へ変位させる力が加わる。また、振動系部材がプラス側の限界域に到達した際、支持系はクリープによりプラス側に変位のバイアスが作用した状態となっている。このため、振動系部材にマイナス側へ変位させる力が働くと、振動系部材は矢示Ａに沿ったルートとは異なる矢示Ｂに沿ったルートでマイナス側の領域に変位していった。この場合、原点０を通ることなくマイナス側の領域に移行していった。そして、特定の変位量を超えると、振動系部材は、支持系のスチフネス（剛さ）によりそれより手前の直線とは異なるようなカーブを描きながらマイナス側の限界域に到達した。振動系部材がマイナス側の限界域に到達すると、それ以上力が加えられても、振動系部材は変位しなかった。マイナス側の限界域は、プラス側の限界域と原点０を中心として略点対称の位置となった。
【００４９】
振動系部材がマイナス側の限界域に到達すると、振動系部材にはマイナス側とは逆方向となるプラス側へ変位させる力が加わる。また、振動系部材がマイナス側の限界域に到達した際、支持系はクリープによりマイナス側に変位のバイアスが作用した状態となっている。このため、振動系部材にプラス側へ変位させる力が働いても、振動系部材は矢示Ｂ方向に沿ったルートとは異なる矢示Ｃに沿ったルートでプラス側の領域に変位していった。すなわち、矢示Ａのルートを中心として矢示Ｂのルートと略線対称となるルートに沿ってプラス側の領域に移行していった。この場合も、原点０を通ることなくプラス側の領域に移行していった。また、特定の変位量を超えると、振動系部材は、支持系の曲げ剛性により非線形的なカーブを描きながらプラス側の限界域に到達していき、それ以上力が加えられても変位しなかった。
【００５０】
このように、比較例では、振動系部材は、初めは矢示Ａに沿ってプラス側の領域に変位するが、その後は、矢示Ｂおよび矢示Ｃに沿って、マイナス側およびプラス側の領域に向かって交互に変動した。なお、比較例では、スピーカへの入力を停止すると、振動系部材は、プラス側もしくはマイナス側のいずれかの領域に少し変位した状態で停止した。そして、その後、時間をかけてゆっくりと原点０に近づいてゆくが、完全に原点０の位置には戻ることはなかった。
【００５１】
また、図３（Ｂ）に示すように、本実施の形態では、振動系部材は、入力された力に比例して、原点０を略中心として、プラス側の領域およびマイナス側の領域を交互に往復するように変位した。また、プラス側の限界域とマイナス側の限界域は、原点を略中心として点対称の位置となった。なお、実施例では、スピーカへの入力を停止すると、振動系部材は、原点０と略同一の位置で停止した。
【００５２】
以上の結果から、位置保持部材としてサスペンションを用いることにより、振動系部材が入力に対して線形的に変位することがわかった。また、本実施の形態では、振動系部材は、原点０を中心として変動するため、原点０付近で変位のずれがほとんどなくなり、振動系部材の動作における機械的な基準位置を維持することができることがわかった。さらに、本実施の形態では、原点０を中心として変動することから、比較例のように位置保持部材としてダンパを用いた場合と比較して、クリープによって位置保持部材が変形することがほとんどなくなり、位置保持部材に経時的な歪みを低減できることがわかった。
【００５３】
以上、本発明の一実施の形態について説明したが、本発明は上述の形態に限定されることなく、種々変形した形態にて実施可能である。
【００５４】
上述の実施の形態では、上軸受け３３と下軸受け３４の２つの軸受けを設けているが、軸受けの数は２つに限定されるものではなく、上軸受け３３および下軸受け３４のうちの一方のみを配置する等して、軸受けの数を１つとしても良いし、上軸受け３３および下軸受け３４以外にも軸受けを配置する等して、軸受けの数を３つ以上としても良い。
【００５５】
また、上述の実施の形態では、位置保持機構６には、上バネ３１および下バネ３２の２つのバネ部材が配設されているが、位置保持機構６に配設されるバネ部材の数は２つに限定されるものではなく、１つとしても良いし、３つ以上としても良い。また、上バネ３１および下バネ３２として、圧縮バネではなく引っ張りバネを用い、該引っ張りバネを引っ張った状態で装着するようにしても良い。また、上バネ３１および下バネ３２をバネ定数が異なる等、異なる形態を有するバネで構成するようにしても良いし、弾性部材として、バネ部材以外の弾性体を用いても良い。
【００５６】
また、上述の実施の形態では、上バネ３１の一端部は上軸受け３３に固定されると共に、その他端部はセンターフランジ３６に固定されている。また、下バネ３２の一端部は、下軸受け３４に固定されると共に、その他端部はセンターフランジ３６に固定されている。しかしながら、上バネ３１および下バネ３２のそれぞれをセンターフランジ３６や上軸受け３３および下軸受け３４に固定しないようにしても良い。また、上バネ３１および下バネ３２のセンターフランジ３６への固定方法は係合固定に限定されるものではない。
【００５７】
また、上述の実施の形態では、位置保持部材として、位置保持機構６のみを配設したが、例えば、ダンパを、振動系部材の中心保持をするために、位置保持機構６の補助的な役割で用いるようにして、位置保持機構６とダンパとを併用する構成を採用しても良い。
【００５８】
また、上述の実施の形態では、振動板２０を、エッジ２１を介してフレーム２に保持させているが、エッジ２１を介することなく、振動板２０をフレーム２に保持させるようにしても良い。エッジ２１を配置しないような構成とすることで、振動板２０の有効面積を大きくすることができる。
【産業上の利用可能性】
【００５９】
本発明のスピーカは、振動板より音を放出するスピーカ等の音響変換装置において利用することができる。
【図面の簡単な説明】
【００６０】
【図１】本発明の一実施の形態に係るスピーカの側断面図である。
【図２】図１中の位置保持機構の側断面図である。
【図３】図３は、スピーカを構成する振動系部材の特性を、入力と変位との関係でヒステリシスループとして表した図であり、（Ａ）は位置保持部材としてダンパを用いた従来のスピーカの特性を示す図であり、（Ｂ）は本発明の一実施の形態に係るスピーカの特性を示す図である。
【符号の説明】
【００６１】
１…スピーカ
３…磁気回路
４…ボイスコイル
５…振動系部材
６…位置保持機構
１１…マグネット
２０…振動板
３０…摺動軸
３１…上バネ（弾性部材）
３２…下バネ（弾性部材）
３３…上軸受け（第２の軸受け）
３３ａ…挿入孔
３４…下軸受け（第１の軸受け）
３４ａ…挿入孔
３６…センターフランジ（フランジ部）
Ｍ…磁気回路の中心（中心軸線）
【図１】
2010154178.tif 000003
【図２】
2010154178.tif 000004
【図３】
2010154178.tif 000005